(57)【要約】【課題】プレビュー表示に要する時間を短くすることができるとともに、生産性の向上が期待できる画像形成装置を提供する。【解決手段】両面読取モード下において大量の原稿からプレビュー画像を生成する際には、原稿の一方の面の画像を先に全て読み取って第１のプレビュー画像を生成し（Ｓ１１〜Ｓ１５）、その後、他方の面の画像を読み取って第２のプレビュー画像を生成して（Ｓ１７〜Ｓ２１）、両面の画像読み取りが終わった後に、第１の仕上がり情報および第２の仕上がり情報を合成して原稿の両面を順次読み取った場合に相当する仕上がり情報を生成し（Ｓ２３）、プレビュー表示させる（Ｓ２４）。これにより、従来の両面読取モードにおける原稿の折り返し時間が不要になるため、プレビュー表示に要する時間を短くすることができるとともに、プレビュー画像に対して設定に移れる時間も速くすることができるので、生産性の向上が期待できる。【選択図】        図７
2008153890.tif 000002
【特許請求の範囲】
【請求項１】
原稿の両面を読み取って両面印刷を行う両面読取モードを選択可能な画像形成装置において、
前記両面読取モードに際して、前記原稿の一方の面の先行読み取りを指定する先行指定手段と、
この先行指定手段により前記原稿の一方の面の先行読み取りが指定された場合には、前記原稿の一方の面を先行して昇順に読み取る第１の画像読取手段と、
この第１の画像読取手段により読み取った前記原稿の一方の面の画像データに各種設定を施した結果を簡易的に示す第１の仕上がり情報を生成する第１の仕上がり情報生成手段と、
一方の面が全て読み取られた前記原稿の他方の面を降順に読み取る第２の画像読取手段と、
この第２の画像読取手段により読み取った前記原稿の他方の面の画像データに各種設定を施した結果を簡易的に示す第２の仕上がり情報を生成する第２の仕上がり情報生成手段と、
前記第１の仕上がり情報および前記第２の仕上がり情報を合成して前記原稿の両面を順次読み取った場合に相当する仕上がり情報を生成する合成手段と、
この合成手段により生成した前記仕上がり情報を表示部に出力する仕上がり情報出力手段と、
を備えることを特徴とする画像形成装置。
【請求項２】
前記合成手段は、前記第２の仕上がり情報の順序を昇順に変更し、順序を変更した前記第２の仕上がり情報と前記第１の仕上がり情報とを合成する、
ことを特徴とする請求項１記載の画像形成装置。
【請求項３】
前記第１の仕上がり情報と順序を変更した前記第２の仕上がり情報との合成は、前記第１の仕上がり情報の間に順序を変更した前記第２の仕上がり情報を挿入することにより行う、
ことを特徴とする請求項２記載の画像形成装置。
【請求項４】
前記先行指定手段は、操作部を介したキー操作に応じて前記原稿の一方の面の先行読み取りを指定する、
ことを特徴とする請求項１記載の画像形成装置。
【請求項５】
前記先行指定手段は、前記原稿が戴置される原稿台に設置されたセンサからの検知信号に応じて前記原稿の一方の面の先行読み取りを指定する、
ことを特徴とする請求項１記載の画像形成装置。
【請求項６】
前記センサは、前記原稿台上に載置された前記原稿がある一定枚数以上の大量部数であることを検知する、
ことを特徴とする請求項５記載の画像形成装置。
【請求項７】
前記第１の画像読取手段により読み取った前記原稿の一方の面の画像データと前記第２の画像読取手段により読み取った前記原稿の他方の面の画像データとの枚数が一致しない場合には、その旨を報知するエラー報知手段を備える、
ことを特徴とする請求項１記載の画像形成装置。
【請求項８】
原稿の両面を読み取って両面印刷を行う両面読取モードを選択可能な画像形成装置を制御するコンピュータに各種処理を実行させるプログラムであって、
前記両面読取モードに際して、前記原稿の一方の面の先行読み取りを指定する先行指定機能と、
この先行指定機能により前記原稿の一方の面の先行読み取りが指定された場合には、前記原稿の一方の面を先行して昇順に読み取る第１の画像読取機能と、
この第１の画像読取機能により読み取った前記原稿の一方の面の画像データに各種設定を施した結果を簡易的に示す第１の仕上がり情報を生成する第１の仕上がり情報生成機能と、
一方の面が全て読み取られた前記原稿の他方の面を降順に読み取る第２の画像読取機能と、
この第２の画像読取機能により読み取った前記原稿の他方の面の画像データに各種設定を施した結果を簡易的に示す第２の仕上がり情報を生成する第２の仕上がり情報生成機能と、
前記第１の仕上がり情報および前記第２の仕上がり情報を合成して前記原稿の両面を順次読み取った場合に相当する仕上がり情報を生成する合成機能と、
この合成機能により生成した前記仕上がり情報を表示部に出力する仕上がり情報出力機能と、
を前記コンピュータに実行させることを特徴とするプログラム。
【請求項９】
前記合成機能は、前記第２の仕上がり情報の順序を昇順に変更し、順序を変更した前記第２の仕上がり情報と前記第１の仕上がり情報とを合成する、
ことを特徴とする請求項８記載のプログラム。
【請求項１０】
前記第１の仕上がり情報と順序を変更した前記第２の仕上がり情報との合成は、前記第１の仕上がり情報の間に順序を変更した前記第２の仕上がり情報を挿入することにより行う、
ことを特徴とする請求項９記載のプログラム。
【請求項１１】
前記先行指定機能は、操作部を介したキー操作に応じて前記原稿の一方の面の先行読み取りを指定する、
ことを特徴とする請求項８記載のプログラム。
【請求項１２】
前記先行指定機能は、前記原稿が戴置される原稿台に設置されたセンサからの検知信号に応じて前記原稿の一方の面の先行読み取りを指定する、
ことを特徴とする請求項８記載のプログラム。
【請求項１３】
原稿の両面を読み取って両面印刷を行う両面読取モードを選択可能な画像形成装置における仕上がり情報生成方法であって、
前記両面読取モードに際して、前記原稿の一方の面の先行読み取りを指定する先行指定工程と、
この先行指定工程により前記原稿の一方の面の先行読み取りが指定された場合には、前記原稿の一方の面を先行して昇順に読み取る第１の画像読取工程と、
この第１の画像読取工程により読み取った前記原稿の一方の面の画像データに各種設定を施した結果を簡易的に示す第１の仕上がり情報を生成する第１の仕上がり情報生成工程と、
一方の面が全て読み取られた前記原稿の他方の面を降順に読み取る第２の画像読取工程と、
この第２の画像読取工程により読み取った前記原稿の他方の面の画像データに各種設定を施した結果を簡易的に示す第２の仕上がり情報を生成する第２の仕上がり情報生成工程と、
前記第１の仕上がり情報および前記第２の仕上がり情報を合成して前記原稿の両面を順次読み取った場合に相当する仕上がり情報を生成する合成工程と、
この合成工程により生成した前記仕上がり情報を表示部に出力する仕上がり情報出力工程と、
を含むことを特徴とする仕上がり情報生成方法。
【請求項１４】
前記合成工程は、前記第２の仕上がり情報の順序を昇順に変更し、順序を変更した前記第２の仕上がり情報と前記第１の仕上がり情報とを合成する、
ことを特徴とする請求項１３記載の仕上がり情報生成方法。
【請求項１５】
前記第１の仕上がり情報と順序を変更した前記第２の仕上がり情報との合成は、前記第１の仕上がり情報の間に順序を変更した前記第２の仕上がり情報を挿入することにより行う、
ことを特徴とする請求項１４記載の仕上がり情報生成方法。
【請求項１６】
前記先行指定工程は、操作部を介したキー操作に応じて前記原稿の一方の面の先行読み取りを指定する、
ことを特徴とする請求項１３記載の仕上がり情報生成方法。
【請求項１７】
前記先行指定工程は、前記原稿が戴置される原稿台に設置されたセンサからの検知信号に応じて前記原稿の一方の面の先行読み取りを指定する、
ことを特徴とする請求項１３記載の仕上がり情報生成方法。
【発明の詳細な説明】
【技術分野】
【０００１】
本発明は、画像形成装置、プログラムおよび仕上がり情報生成方法に関する。
【背景技術】
【０００２】
近年、原稿画像を読み取るスキャナ、スキャナで読み取った原稿画像を印刷する複写機、外部から入力された画像データを印刷するプリンタやファクシミリ装置、あるいは、これらの機能を兼ね備えたいわゆるＭＦＰ（Multi Function Peripheral）と称される複合機が用いられている。
【０００３】
この種の複合機にあっては、余白サイズなどの各種画像処理に関する設定、スタンプ押印処理、ステープル処理あるいはパンチ孔あけ処理といった仕上げ処理に関する設定など、様々な機能に関する設定をユーザは行うことができる。
【０００４】
しかしながら、従来の複合機では、このような仕上げ機能を設定してコピーを開始すると、印刷結果を得るまで仕上がり状態を確認できない。例えば、パンチ孔をあけた仕上がり状態において、パンチ孔の位置と出力画像とが重なっていたとしても、実際に印刷してみるまで結果を知ることができないため、ミスコピーとなり、用紙を無駄に使用してしまうという問題が生じる。
【０００５】
そこで、このような問題を解決するために、実際のコピー印刷に先だって、プレスキャンした原稿イメージに対して仕上げ機能などの各種機能による処理を施した仕上がり状態のプレビュー画像を表示し、必要に応じて印刷の設定を変更することができる情報処理装置が特許文献１で提案されている。
【０００６】
【特許文献１】特開２００１−６７３４７号公報
【発明の開示】
【発明が解決しようとする課題】
【０００７】
ところで、スキャナで大量の原稿の両面読み取りを行う場合には、一般的には、１枚の原稿毎に両面の読み取りを行うため、原稿の折り返しに時間がかかる。このように１枚の原稿毎に両面の読み取りを行うのは、コピー出力のみを考えた場合に、１枚毎の両面読み取り完了後に印字するほうが効率良く処理することができるからである。
【０００８】
しかしながら、１枚の原稿毎に両面のスキャンを行う場合には、原稿の折り返し時間が必要になるため、原稿の両面読み取りにかかる時間が長くなってしまうという問題がある。
【０００９】
また、前述した特許文献１に記載された技術のように、実際のコピー印刷に先だって、プレスキャンした原稿イメージに対して仕上げ機能などの各種機能による処理を施した仕上がり状態のプレビュー画像を表示させた後に印字することを考えると、原稿の読み取りに要する時間は短いほうが良い。
【００１０】
本発明は、上記に鑑みてなされたものであって、プレビュー表示に要する時間を短くすることができるとともに、生産性の向上が期待できる画像形成装置、プログラムおよび仕上がり情報生成方法を提供することである。
【課題を解決するための手段】
【００１１】
上述した課題を解決し、目的を達成するために、請求項１にかかる発明の画像形成装置は、原稿の両面を読み取って両面印刷を行う両面読取モードを選択可能な画像形成装置において、前記両面読取モードに際して、前記原稿の一方の面の先行読み取りを指定する先行指定手段と、この先行指定手段により前記原稿の一方の面の先行読み取りが指定された場合には、前記原稿の一方の面を先行して昇順に読み取る第１の画像読取手段と、この第１の画像読取手段により読み取った前記原稿の一方の面の画像データに各種設定を施した結果を簡易的に示す第１の仕上がり情報を生成する第１の仕上がり情報生成手段と、一方の面が全て読み取られた前記原稿の他方の面を降順に読み取る第２の画像読取手段と、この第２の画像読取手段により読み取った前記原稿の他方の面の画像データに各種設定を施した結果を簡易的に示す第２の仕上がり情報を生成する第２の仕上がり情報生成手段と、前記第１の仕上がり情報および前記第２の仕上がり情報を合成して前記原稿の両面を順次読み取った場合に相当する仕上がり情報を生成する合成手段と、この合成手段により生成した前記仕上がり情報を表示部に出力する仕上がり情報出力手段と、を備える。
【００１２】
また、請求項２にかかる発明は、請求項１記載の画像形成装置において、前記合成手段は、前記第２の仕上がり情報の順序を昇順に変更し、順序を変更した前記第２の仕上がり情報と前記第１の仕上がり情報とを合成する。
【００１３】
また、請求項３にかかる発明は、請求項２記載の画像形成装置において、前記第１の仕上がり情報と順序を変更した前記第２の仕上がり情報との合成は、前記第１の仕上がり情報の間に順序を変更した前記第２の仕上がり情報を挿入することにより行う。
【００１４】
また、請求項４にかかる発明は、請求項１記載の画像形成装置において、前記先行指定手段は、操作部を介したキー操作に応じて前記原稿の一方の面の先行読み取りを指定する。
【００１５】
また、請求項５にかかる発明は、請求項１記載の画像形成装置において、前記先行指定手段は、前記原稿が戴置される原稿台に設置されたセンサからの検知信号に応じて前記原稿の一方の面の先行読み取りを指定する。
【００１６】
また、請求項６にかかる発明は、請求項５記載の画像形成装置において、前記センサは、前記原稿台上に載置された前記原稿がある一定枚数以上の大量部数であることを検知する。
【００１７】
また、請求項７にかかる発明は、請求項１記載の画像形成装置において、前記第１の画像読取手段により読み取った前記原稿の一方の面の画像データと前記第２の画像読取手段により読み取った前記原稿の他方の面の画像データとの枚数が一致しない場合には、その旨を報知するエラー報知手段を備える。
【００１８】
また、請求項８にかかる発明のプログラムは、原稿の両面を読み取って両面印刷を行う両面読取モードを選択可能な画像形成装置を制御するコンピュータに各種処理を実行させるプログラムであって、前記両面読取モードに際して、前記原稿の一方の面の先行読み取りを指定する先行指定機能と、この先行指定機能により前記原稿の一方の面の先行読み取りが指定された場合には、前記原稿の一方の面を先行して昇順に読み取る第１の画像読取機能と、この第１の画像読取機能により読み取った前記原稿の一方の面の画像データに各種設定を施した結果を簡易的に示す第１の仕上がり情報を生成する第１の仕上がり情報生成機能と、一方の面が全て読み取られた前記原稿の他方の面を降順に読み取る第２の画像読取機能と、この第２の画像読取機能により読み取った前記原稿の他方の面の画像データに各種設定を施した結果を簡易的に示す第２の仕上がり情報を生成する第２の仕上がり情報生成機能と、前記第１の仕上がり情報および前記第２の仕上がり情報を合成して前記原稿の両面を順次読み取った場合に相当する仕上がり情報を生成する合成機能と、この合成機能により生成した前記仕上がり情報を表示部に出力する仕上がり情報出力機能と、を前記コンピュータに実行させる。
【００１９】
また、請求項９にかかる発明は、請求項８記載のプログラムにおいて、前記合成機能は、前記第２の仕上がり情報の順序を昇順に変更し、順序を変更した前記第２の仕上がり情報と前記第１の仕上がり情報とを合成する。
【００２０】
また、請求項１０にかかる発明は、請求項９記載のプログラムにおいて、前記第１の仕上がり情報と順序を変更した前記第２の仕上がり情報との合成は、前記第１の仕上がり情報の間に順序を変更した前記第２の仕上がり情報を挿入することにより行う。
【００２１】
また、請求項１１にかかる発明は、請求項８記載のプログラムにおいて、前記先行指定機能は、操作部を介したキー操作に応じて前記原稿の一方の面の先行読み取りを指定する。
【００２２】
また、請求項１２にかかる発明は、請求項８記載のプログラムにおいて、前記先行指定機能は、前記原稿が戴置される原稿台に設置されたセンサからの検知信号に応じて前記原稿の一方の面の先行読み取りを指定する。
【００２３】
また、請求項１３にかかる発明の仕上がり情報生成方法は、原稿の両面を読み取って両面印刷を行う両面読取モードを選択可能な画像形成装置における仕上がり情報生成方法であって、前記両面読取モードに際して、前記原稿の一方の面の先行読み取りを指定する先行指定工程と、この先行指定工程により前記原稿の一方の面の先行読み取りが指定された場合には、前記原稿の一方の面を先行して昇順に読み取る第１の画像読取工程と、この第１の画像読取工程により読み取った前記原稿の一方の面の画像データに各種設定を施した結果を簡易的に示す第１の仕上がり情報を生成する第１の仕上がり情報生成工程と、一方の面が全て読み取られた前記原稿の他方の面を降順に読み取る第２の画像読取工程と、この第２の画像読取工程により読み取った前記原稿の他方の面の画像データに各種設定を施した結果を簡易的に示す第２の仕上がり情報を生成する第２の仕上がり情報生成工程と、前記第１の仕上がり情報および前記第２の仕上がり情報を合成して前記原稿の両面を順次読み取った場合に相当する仕上がり情報を生成する合成工程と、この合成工程により生成した前記仕上がり情報を表示部に出力する仕上がり情報出力工程と、を含む。
【００２４】
また、請求項１４にかかる発明は、請求項１３記載の仕上がり情報生成方法において、前記合成工程は、前記第２の仕上がり情報の順序を昇順に変更し、順序を変更した前記第２の仕上がり情報と前記第１の仕上がり情報とを合成する。
【００２５】
また、請求項１５にかかる発明は、請求項１４記載の仕上がり情報生成方法において、前記第１の仕上がり情報と順序を変更した前記第２の仕上がり情報との合成は、前記第１の仕上がり情報の間に順序を変更した前記第２の仕上がり情報を挿入することにより行う。
【００２６】
また、請求項１６にかかる発明は、請求項１３記載の仕上がり情報生成方法において、前記先行指定工程は、操作部を介したキー操作に応じて前記原稿の一方の面の先行読み取りを指定する。
【００２７】
また、請求項１７にかかる発明は、請求項１３記載の仕上がり情報生成方法において、前記先行指定工程は、前記原稿が戴置される原稿台に設置されたセンサからの検知信号に応じて前記原稿の一方の面の先行読み取りを指定する。
【発明の効果】
【００２８】
本発明によれば、両面読取モード下において大量の原稿からプレビュー画像を生成する際には、原稿の一方の面の画像を先に全て読み取って第１のプレビュー画像を生成し、その後、他方の面の画像を読み取って第２のプレビュー画像を生成する。すなわち片面ずつ原稿画像を読み取り、両面の画像読み取りが終わった後に、第１の仕上がり情報および第２の仕上がり情報を合成して原稿の両面を順次読み取った場合に相当する仕上がり情報を生成して、プレビュー表示させる。これにより、従来の両面読取モードにおける１枚の原稿毎に両面のスキャンを行う場合のような原稿の折り返し時間が不要になるため、プレビュー表示に要する時間を短くすることができるとともに、プレビュー画像に対して設定に移れる時間も速くすることができるので、生産性の向上が期待できる、という効果を奏する。
【発明を実施するための最良の形態】
【００２９】
以下に添付図面を参照して、本発明の実施形態にかかる画像形成装置、プログラムおよび仕上がり情報生成方法の最良な実施の形態を詳細に説明する。
【００３０】
本発明の実施の一形態を図１ないし図８に基づいて説明する。本実施の形態は画像形成装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Multi Function Peripheral）と称される複合機を適用した例である。
【００３１】
図１は、本発明の実施の一形態にかかる複合機１０の機能ブロック図である。図１に示す複合機１０は、スキャナ１１、ＡＤＦ（オート・ドキュメント・フィーダ）１１１、スキャナコントローラ１１２、画像記憶部１２、画像処理部１３、印刷処理手段であるプリンタ１４、プリンタコントローラ１４２、仕上げ処理部１４１、操作表示部１５、操作表示制御部１５１、システム制御部１６、および通信制御部１７を備える。また、複合機１０は、通信制御部１７を介してネットワーク１８と接続されている。そして、複合機１０は、原稿１９の画像を読み取って画像処理を施した後、印刷物２０として出力する。
【００３２】
システム制御部１６は、各構成部と接続されていて、複合機１０全体の制御を行うものである。例えば、選択されている用紙サイズに対して適切な走査領域情報をスキャナ１１に提供するなどの制御である。このシステム制御部１６は、不図示のＣＰＵ（Central Processing Unit）、ＲＯＭ（Read Only Memory）、ＲＡＭ（Random Access Memory）などから構成されており、ＣＰＵがＲＯＭに格納されたプログラムに基づいてＲＡＭのワーク領域を利用しながら動作することにより、各種処理が実行される。
【００３３】
なお、複合機１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供されてもよい。この場合、システム制御部１６のＣＰＵが上記記憶媒体からプログラムを読み出して主記憶装置（図示せず）上にロードすることで、複合機１０に各種の機能を実現させる。また、プログラムを、インターネット等のネットワーク１８に接続されたコンピュータ上に格納し、ネットワーク経由でダウンロードさせることにより提供するようにしても良い。または、プログラムをインターネット等のネットワーク経由で提供若しくは配布するようにしても良い。
【００３４】
通信制御部１７は、ＬＡＮ（ローカル・エリア・ネットワーク）やインターネットなどのネットワーク１８と接続され、通信プロトコルに従ってネットワークに接続された他の機器との間で画像データや制御データ等のやり取りを行うものである。
【００３５】
スキャナコントローラ１１２は、画像入力手段として機能するものであって、システム制御部１６の命令を受け、スキャナ１１を制御して、画像データの入力を受け付ける。
【００３６】
スキャナ１１は、スキャナコントローラ１１２に制御され、原稿１９のイメージをデジタル画像データに変換する。なお、ＡＤＦ１１１は、セットされた複数ページの原稿をスキャナ１１の読取位置に１枚ずつ順に繰り出すことができるので、このＡＤＦ１１１を用いることにより、スキャナ１１は複数ページの原稿を連続して自動的に読み込みを行うことができる。また、ＡＤＦ１１１は、用紙の片面に印刷された片面原稿だけでなく、両面に印刷された両面原稿を反転させてスキャナ１１に送り出すことができるので、スキャナ１１に両面原稿を読み込ませることが可能である。
【００３７】
ここで、スキャナ１１のＡＤＦ１１１について詳述する。図２は、スキャナ１１の内部構造を概略的に示す縦断側面図である。図２に示すように、スキャナ１１のＡＤＦ１１１は、ＡＤＦ１１１から自動給紙された原稿５０がＡＤＦ原稿ガラス６上を通過する際にその原稿の画像を読み取る動作モードであるシート原稿読み取りモードの設定下において使用される。このようなシート原稿読み取りモードの設定下においては、ランプ２およびミラー３を備える第１キャリッジ２１０と２個のミラー４，５を備える第２キャリッジ２１１とをＡＤＦ原稿ガラス６の下方に停止させてホームポジションとし、ＡＤＦ１１１により自動給紙される原稿を読取走査するものとする。なお、このような動作モードは、操作表示部１５により設定可能である。
【００３８】
このようなＡＤＦ１１１には、シート原稿読み取りモードで原稿を読み取る際に原稿５０を載置するための原稿台２２０と、読み取りが終了した原稿５０を排出するための排紙部２２１と、原稿台２２０から排紙部２２１へ連通する原稿搬送経路２２２と、両面読取モードにおいて原稿５０を反転させる反転部２２３とが設けられている。ここで、両面読取モードとは、シート原稿読み取りモードの一つであって、ＡＤＦ１１１により原稿５０を自動給紙して表面の画像を読取走査した後に、原稿５０を反転させて裏面の画像を読取走査する動作モードである。
【００３９】
原稿台２２０には、載置された原稿５０を原稿搬送経路２２２へ搬送する際に、原稿の両側端を案内する原稿ガイド（図示せず）が設けられている。また、原稿台２２０には、シート原稿読み取りモードで原稿５０を読み取る際に、原稿台２２０の上に原稿が載置されているか否かを検出するセットセンサ、原稿台２２０上に載置された原稿のサイズを検知する幅サイズ検知センサ、原稿長さセンサ、および、原稿の後端を検出する原稿後端センサが設けられている（いずれも図示せず）。これらのセンサ類により、シート原稿読み取りモードでは、用紙指定キーや置数キーの押し下げによる原稿のサイズの指定がない場合にも、原稿台２２０の上に載置された原稿のサイズが自動的に指定される。
【００４０】
原稿搬送経路２２２の原稿台２２０側には、原稿台２２０に載置された原稿５０を一枚ずつ分離して給送するためのピックアップローラ３１や搬送ローラ３２が設けられている。これらのピックアップローラ３１や搬送ローラ３２は、給紙モータ（図示せず）によって駆動される。つまり、ピックアップローラ３１や搬送ローラ３２が給紙モータにより回転駆動されることにより、原稿台２２０の上に載置された原稿５０が１枚ずつ原稿搬送経路２２２に給紙されることになる。
【００４１】
加えて、原稿搬送経路２２２には、原稿５０を搬送するとともに原稿５０を排紙部２２１へ搬送するための搬送ドラム３３が設けられている。この搬送ドラム３３の下方に、ＡＤＦ原稿ガラス６が位置している。この搬送ドラム３３は、ステッピングモータ（図示せず）によって駆動される。したがって、原稿台２２０から原稿搬送経路２２２に給紙された原稿５０は、搬送ドラム３３がステッピングモータにより回転駆動されることにより、ＡＤＦ原稿ガラス６上を案内されることになる。
【００４２】
これにより、原稿テーブル原稿台２２０に載置された原稿５０は、ピックアップローラ３１により１枚ずつ給紙され、搬送ローラ３２や搬送ドラム３３によって原稿読み取り位置であるＡＤＦ原稿ガラス６まで搬送されることになる。
【００４３】
また、反転部２２３には、一端が原稿搬送経路２２２の途中から分岐する分岐点３４に連通する反転路３５を形成する反転テーブル３６が設けられている。この反転テーブル３６には、給紙／反転モータ（図示せず）により正逆回転自在に駆動される反転ローラ３７が設けられている。また、この反転路３５には、支軸を回動中心として回動自在な分岐爪３８が取り付けられている。この分岐爪３８は、支軸の回動によって反転路３５を原稿搬送経路２２２に対して開閉することにより、搬送ドラム３３によって搬送された原稿５０を反転部２２３と排紙部２２１とのいずれか一方に振り分けるものである。つまり、シート原稿読み取りモードの一つである両面読取モードの設定下においては、分岐爪３８は、支軸の回動によって反転路３５を原稿搬送経路２２２に対して開放し、搬送ドラム３３によって搬送された原稿５０を反転路３５に案内した後、表裏が逆転した状態の原稿５０を反転ローラ３７により原稿搬送経路２２２に再度搬送する。
【００４４】
なお、シート原稿読み取りモードにおける原稿の給紙搬送動作の流れ、および、原稿の反転動作の流れについては、公知の技術であるため説明を省略する。
【００４５】
ここで、スキャナ１１がシステム制御部１６の命令を受けて実行するシート原稿読み取りモードにおける原稿の一連の画像読み取り動作について簡単に説明する。原稿台２２０にセットされた原稿５０が搬送ローラ３２や搬送ドラム３３によって原稿読み取り位置であるＡＤＦ原稿ガラス６まで送られることになる。そして、原稿読み取り開始前に、第１キャリッジ２１０のランプ２が点灯し、リフレクタで集光され原稿面を照射する。第１キャリッジ２１０のランプ２から照射された光は、原稿５０で反射し、３枚のミラー３，４，５とレンズ７を経由して、カラーＣＣＤ８に入射する。そして、原稿５０は、搬送ドラム３３の回転に従って一定速度で送られ、原稿一面のカラーＣＣＤ８による読み取りが行われる。カラーＣＣＤ８による読み取り処理が終了した原稿５０は、搬送ドラム３３の回転に従い排紙部２２１に排出されることになる。その後、順次、原稿台２２０上に載置されている原稿５０の読み取りが行われることになる。
【００４６】
画像記憶部１２は、システム制御部１６の命令を受け、スキャナ１１で読み取った画像データや、ネットワーク１８を介して外部から入力された画像データ等を一時的に保存しておくバッファメモリである。本実施の形態の複合機１０は、自身の備えるスキャナ１１から読み取った画像データ及び、ネットワーク１８を介するなどして外部から入力された画像データのいずれをも処理して画像形成することができる。
【００４７】
画像処理部１３は、スキャナ１１やネットワーク１８から送られて画像記憶部１２に一時的に保存された多値データに対して、システム制御部１６の命令を受け、γ補正やＭＴＦ補正処理等を施した後、スライス処理やディザ処理のような階調処理を施して２値（または多値）化処理を施す。また、画像処理部１３は、ユーザが設定した機能に対応した各種の画像処理（拡大／縮小、濃度／色の調整など）、画像領域編集処理（領域削除、領域移動、領域反転など）やレイアウト加工処理（両面印刷／片面印刷、集約印刷、余白サイズの調整など）、仕上がり状態のプレビュー画像である仕上がり情報の生成処理などを行う。
【００４８】
このような画像処理部１３は、仕上がり情報生成部１３１と、入力画面情報生成部１３２と、設定部１３３とを備える。
【００４９】
仕上がり情報生成部１３１は、基本的には、原稿をプレスキャンした画像データに対する各種の項目入力に基づく設定値に従って、後述する表示パネル１５ｂに表示する原稿画像に対する加工や各種設定処理を施した後の結果を簡易的に表す仕上がり情報（プレビュー画像）を生成する。仕上がり情報生成部１３１は、画像記憶部１２に一時的に保存された多値データを用いる。
【００５０】
入力画面情報生成部１３２は、仕上がり情報生成部１３１が生成した仕上がり情報（プレビュー画像）に対する各種の設定入力を受け付ける設定処理項目を含み、表示パネル１５ｂに表示させる入力画面情報を生成する。
【００５１】
設定部１３３は、後述するタッチパネル１５ａから表示パネル１５ｂに表示された入力画面４００（図３参照）に対してユーザが入力を行った場合、該入力信号を受け付けるとともに、画像記憶部１２に格納された入力画像に関する座標情報を取得し、入力画面情報生成部１３２に対して取得した座標情報に対応する処理を設定する。
【００５２】
ここで、仕上がり情報生成部１３１は、設定部１３３が設定入力信号を受け付けた場合、受け付けた設定入力信号に従って、再び仕上がり情報を更新して生成し、操作表示制御部１５１に出力する。また、入力画面情報生成部１３２は、設定部１３３によって受け付けられた入力信号によって、再びユーザからの設定入力を受け付ける画面を生成する入力画面情報を生成し、操作表示制御部１５１に出力する。
【００５３】
操作表示制御部１５１は、システム制御部１６の命令を受けて操作表示部１５の入出力を制御する。例えば、操作表示制御部１５１は、画像処理部１３によって処理されたデータを、操作表示部１５が備えている操作部であるタッチパネル１５ａおよび表示部である表示パネル１５ｂに出力制御する。より具体的には、操作表示制御部１５１は、入力画面情報生成部１３２で生成された仕上がり情報（プレビュー画像）を表示パネル１５ｂに表示させる。また、操作表示制御部１５１は、タッチパネル１５ａからの入力制御を行う。なお、表示パネル１５ｂとタッチパネル１５ａは図面上別々に記載されているが、ここでは一体的に構成する。
【００５４】
タッチパネル１５ａは、パネル上に、電気的あるいは磁気的にポインタの接触する位置を検出する。タッチパネル１５ａに対する指定手段（図示せず）としては、人間の指先、スタイラスペン、その他の接触入力具（以下ポインタと記す）が適用可能である。すなわち、ユーザは、タッチパネル１５ａに対してこのようなポインタを介して接触することによって、印刷設定を含む各種項目を入力する。
【００５５】
なお、本実施の形態においては、タッチパネル１５ａに対する接触入力を例に挙げて説明するが、必ずしも接触入力のみが本発明の実施の形態ではない。例えば、操作表示部１５は、タッチパネル１５ａの他に操作者による物理的なキーの押下を受付けて入力を行うハードキーを備え、印刷実行などの指示を与えるようにしても良い。また、表示パネル１５ｂは、複合機１０が備える専有の表示装置を用いても良い。
【００５６】
操作表示部１５は、操作表示制御部１５１に制御され、タッチパネル１５ａを介して設定内容の入力を受け付け、仕上がり情報（プレビュー画像）や画面の仕上げを設定する設定画面のメニュー項目を表示パネル１５ｂに表示する。
【００５７】
また、操作表示部１５は、複合機１０で実行したい機能を設定画面のメニュー項目として表示し、表示されたメニュー項目の中からユーザによる設定入力を受け付けるためのものである。すなわち、操作表示制御部１５１は、項目の選択が可能な領域に対してポインタがタッチパネル１５ａに接触すると、押圧された部分の座標が検出され、選択可能領域における接触であることが検出されると、該当する項目が選択されたものとして受け付ける。例えば、操作表示部１５は、原稿の状態に応じたスキャナ１１における読み取り条件の設定、読み取った画像データに対する画質調整などの加工を行う画像処理部１３における設定、プリンタ１４における印刷条件の設定、あるいは、印刷後の印刷物に対してソート、ステープル、パンチ孔などの仕上げ処理を行う仕上げ処理部１４１などの設定を受け付けるものである。
【００５８】
プリンタコントローラ１４２は、システム制御部１６の命令を受けてプリンタ１４を制御する。
【００５９】
このプリンタ１４は、仕上げ処理部１４１を搭載している。仕上げ処理部１４１は、自動設定あるいはユーザによる設定を受け付けて、印刷処理が施された印刷物２０を部数やページ単位で仕分けを行うソート処理、印刷媒体に対して所定のスタンプを押印するスタンプ処理、複数枚の印刷媒体を揃えてステープルで綴じるステープル処理、あるいは、複数枚の印刷媒体をバインダーやファイルに綴じるためのパンチ孔をあけるパンチ孔処理といった仕上げ処理を行う。
【００６０】
システム制御部１６は、操作表示制御部１５１を介して上述したような各種設定を受け付けると、画像記憶部１２に記憶されている元画像データに対して画像処理部１３で要求された設定処理を反映させて仕上がり情報（プレビュー画像）を生成し、操作表示部１５に送って表示させる。
【００６１】
図３は、複合機１０が画像データを入力して生成した仕上がり情報（プレビュー画像）の一例を示す正面図である。操作表示部１５の表示パネル１５ｂには、仕上がり情報（プレビュー画像）４０１および設定処理項目４０２が表示される。設定処理項目４０２としては、ステープル、パンチ、とじしろ調整、わく消去、スタンプおよびページ番号などの仕上がり情報（プレビュー画像）４０１上の場所に依存したメニュー４０２ａが画面の右側に表示されている。また、出力カラー、出力濃度、用紙、拡大／縮小、片面／両面、集約、ソート／スタックおよび地肌などのコンテンツに依存しないメニュー４０２ｂが画面の左側に表示されている。
【００６２】
操作者が、表示パネル１５ｂに表示された仕上がり情報（プレビュー画像）４０１を見ながらポインタで接触することによって、タッチパネル１５ａは、表示された仕上がり情報（プレビュー画像）４０１上の印刷物の仕上がり状態における空間的位置である位置情報の入力を受け付ける。このような場合において、設定部１３３は、タッチパネル１５ａによって受け付けられた位置情報を解析し、ポインタの接触する画像上での座標情報を取得する。
【００６３】
このような構成により、複合機１０は、実際のコピー印刷に先だって、仕上がり情報（プレビュー画像）４０１を複合機１０の操作表示部１５が備えている表示パネル１５ｂに表示し、目視でその仕上がり情報（プレビュー画像）４０１を確認した後に、必要に応じて設定を変更し、実際の印刷を行うことができる。
【００６４】
より詳細には、
（１）原稿をプレスキャンする。
（２）読み取った原稿の画像を画面上にプレビュー画像として表示する。
（３）プレビュー画像上の特定の場所に触れると、その位置に関連する機能のメニューを表示する。
（４）利用者がそのうちの１つを選択したら、その効果をプレビュー画像に直ちに反映させる。
（５）最終的な仕上がりイメージを画面上で確認した後、印刷を開始する。
という一連の流れによって、確実なコピーを可能にすることができる。
【００６５】
ここで、図４に示すように、操作者によって操作表示部１５において表示されている設定処理項目４０２（４０２ａ）のうち、パンチ４０３が接触入力により選択されたとする。
【００６６】
操作表示部１５がパンチ４０３からの接触入力を検知し、システム制御部１６が操作表示制御部１５１を介してパンチ４０３の設定を受け付けると、画像処理部１３の入力画面情報生成部１３２は、「パンチ」に対応して設定できるパンチの領域を図５に示した設定処理項目４０２の各処理項目と設定可能位置を関連付けて規定した対応定義テーブルから読み出して、設定できる領域４０４および４０５を、操作表示部１５に表示する。このような対応定義テーブルは、システム制御部１６のＲＡＭなどに記憶されている。パンチ孔が可能な領域４０４および４０５を、仕上がり情報（プレビュー画像）４０１において表示する形態は、互いに重畳する形態でも良く、上書きして表示する形態でも良い。あるいは、可能な領域の色を変化させる、点滅させる、あるいはそれ以外をダークアウトさせるなどの表現形態を適用することができる。なお、図５に示したテーブルの設定可能位置は、２点の対角線を表示する座標で規定し、規定される２点による線分を対角線とする主走査および副走査方向に平行な矩形で規定される。例えば、「ステープル」は、（０，０）と（４０，４０）とで定まる位置、（１２０，０）と（１６０，４０）とで定まる位置を規定する。
【００６７】
そして、操作者は、図４に示されたパンチ孔領域４０４に接触することによって選択入力を行う。操作表示部１５は、パンチ４０３からの接触入力を受け付け、画像処理部１３の仕上がり情報生成部１３１は、受け付けた領域においてパンチ孔処理を施す設定処理を反映させて仕上がり情報（プレビュー画像）を生成し、操作表示部１５に送って表示させる。図６にパンチ孔処理４０６が施された仕上がり情報（プレビュー画像）４０１を示す。このようにして表示された仕上がり情報（プレビュー画像）４０１から、修正などの設定入力を受け付ける。受け付けた設定は再び反映されて表示され、受け付けない場合は、印刷実行を受け付ける。
【００６８】
なお、ここでは特に図示していないが、プレビュー画像上の特定の場所に触れると、その位置に関連する機能のメニューを表示し、利用者がそのうちの１つを選択したら、その効果をプレビュー画像に直ちに反映させるようにしても良い。
【００６９】
ところで、本実施の形態の複合機１０は、両面読取モードの設定下で上述したような仕上がり情報（プレビュー画像）を操作表示部１５に表示する場合においては、原稿５０の片面を先に全て取得し、その後もう一方の面の画像を読み取るようにすることができる。すなわち、原稿５０を片面ずつ読み取り、原稿５０の両面の読み取りが終わった後に、仕上がり情報（プレビュー画像）を操作表示部１５に表示させるようにすることができる。このようにすることで、大量の原稿からプレビュー画像を生成する際に、プレビュー表示に要する時間を短くすることができるとともに、設定に移れる時間も速くすることができるので、生産性の向上が期待できるようにしたものである。
【００７０】
ここで、システム制御部１６のＣＰＵがＲＯＭに格納されたプログラムに基づいて動作することにより実現される特徴的な処理である両面読取モード時のプレビュー表示処理について図７のフローチャートを参照しつつ説明する。この両面読取モード時のプレビュー表示処理は、プレビュー表示モードの設定下において両面読取モードが選択された場合に実行される。
【００７１】
図７に示すように、プレビュー表示処理は、片面読取モード時においては（ステップＳ１のＮｏ）、ＡＤＦ１１１を用いて原稿５０を１枚ずつ読み取り（ステップＳ２）、プレビュー画像を生成し、生成したプレビュー画像を操作表示部１５に順次出力する（ステップＳ３）。ステップＳ２〜Ｓ３の処理は、ＡＤＦ１１１の原稿台２２０の上に載置された原稿５０がなくなるまで（ステップＳ４のＹｅｓ）、繰り返される。
【００７２】
一方、両面読取モード時には（ステップＳ１のＹｅｓ）、まず、原稿の一方の面の先行読み取りを行う片面先行モードか否かが判断される（ステップＳ５：先行指定手段）。片面先行モードか否かは、操作表示部１５を介したキー操作に応じて指定されるものあっても良いし、原稿台２２０に設置された各種センサからの検知信号に応じて指定されるものであっても良い。例えば、原稿台２２０の上に載置された原稿５０がある一定枚数以上の大量部数であることをセンサによって検知した場合には、片面先行モードに設定する。
【００７３】
片面先行モードでない場合には（ステップＳ５のＮｏ）、まず、ＡＤＦ１１１を用いて原稿５０の一方の面（例えば、表面）を昇順に読み取り（ステップＳ６）、プレビュー画像を生成し、生成したプレビュー画像を操作表示部１５に順次出力する（ステップＳ７）。次いで、原稿５０を反転路３５に案内した後、表裏が逆転した状態の原稿５０を反転ローラ３７により原稿搬送経路２２２に再度搬送し、原稿５０の他方の面（例えば、裏面）を読み取り（ステップＳ８）、プレビュー画像を生成し、生成したプレビュー画像を操作表示部１５に順次出力する（ステップＳ９）。ステップＳ６〜Ｓ９の処理は、ＡＤＦ１１１の原稿台２２０の上に載置された原稿５０がなくなるまで（ステップＳ１０のＹｅｓ）、繰り返される。
【００７４】
片面先行モードである場合には（ステップＳ５のＹｅｓ）、まず、ＡＤＦ１１１を用いて原稿５０の一方の面（例えば、表面）を昇順に順次読み取る（ステップＳ１１：第１の画像読取手段）。
【００７５】
次いで、パラメータｎを１インクリメントした後（ステップＳ１２）、インデックス（インデックス＝２ｎ＋１）を生成する（ステップＳ１３）。なお、パラメータｎの初期値は、“０”に設定されている。
【００７６】
その後、プレビュー画像を生成し、生成したプレビュー画像にインデックスを付与して画像記憶部１２に順次記憶する（ステップＳ１４：第１の仕上がり情報生成手段）。ステップＳ１１〜Ｓ１４の処理は、ＡＤＦ１１１の原稿台２２０の上に載置された原稿５０がなくなるまで、すなわちＡＤＦ１１１の原稿台２２０の上に載置された原稿５０の一方の面（例えば、表面）の読み取りが終了するまで（ステップＳ１５のＹｅｓ）、繰り返される。
【００７７】
原稿５０の一方の面（例えば、表面）の読み取りが終了すると（ステップＳ１５のＹｅｓ）、ＡＤＦ１１１に対する原稿５０のセットに待機する（ステップＳ１６）。つまり、原稿５０の他方の面（例えば、裏面）の読み取りが出来る状態に原稿５０がセットされるまで待機する。
【００７８】
原稿台２２０上のセットセンサにより、原稿５０がセットされたと判断した場合には（ステップＳ１６のＹｅｓ）、原稿５０の他方の面（例えば、裏面）を降順に順次読み取る（ステップＳ１７：第２の画像読取手段）。
【００７９】
次いで、インデックス（インデックス＝２ｎ）を生成する（ステップＳ１８）。この場合、パラメータｎは、表面が正しく読み取られていれば、原稿５０の枚数に設定されている。
【００８０】
その後、プレビュー画像を生成し、生成したプレビュー画像にインデックスを付与して画像記憶部１２に順次記憶する（ステップＳ１９：第２の仕上がり情報生成手段）。
【００８１】
ＡＤＦ１１１の原稿台２２０の上に載置された原稿５０の他方の面（例えば、裏面）の読み取りが終了していない場合には（ステップＳ２０のＮｏ）、パラメータｎを１デクリメントした後（ステップＳ２１）、ステップＳ１７に戻る。
【００８２】
上述した処理は、ＡＤＦ１１１の原稿台２２０の上に載置された原稿５０がなくなるまで、すなわちＡＤＦ１１１の原稿台２２０の上に載置された原稿５０の他方の面（例えば、裏面）の読み取りが終了するまで（ステップＳ２０のＹｅｓ）、繰り返される。
【００８３】
次いで、表面と裏面との枚数を比較する（ステップＳ２２）。表面と裏面との枚数が一致した場合には（ステップＳ２２のＹｅｓ）、ステップＳ２３に進み、合成処理を行なう（合成手段）。合成処理は、図８に示すように、画像記憶部１２に記憶されているプレビュー画像をインデックス順にソートするものである。
【００８４】
このようにして合成された両面のプレビュー画像は、操作表示部１５に出力される（ステップＳ２４：仕上がり情報出力手段）。
【００８５】
一方、表面と裏面との枚数が一致しない場合には（ステップＳ２２のＮｏ）、エラー表示を操作表示部１５に対して行なう（ステップＳ２５：エラー報知手段）。例えば、「枚数が不一致です。やり直しをしますか？」というような表示である。その後、ステップＳ１１に戻り、再度処理を実行する。なお、ここでは、エラー表示を行なうようにしたが、音声によりエラーを報知するようにしても良い。
【００８６】
このように本実施の形態によれば、両面読取モード下において大量の原稿からプレビュー画像を生成する際には、原稿の一方の面の画像を先に全て読み取って第１のプレビュー画像を生成し、その後、他方の面の画像を読み取って第２のプレビュー画像を生成する。すなわち、片面ずつ原稿画像を読み取り、両面の画像読み取りが終わった後に、第１の仕上がり情報および第２の仕上がり情報を合成して原稿の両面を順次読み取った場合に相当する仕上がり情報を生成して、プレビュー表示させる。これにより、従来の両面読取モードにおける１枚の原稿毎に両面のスキャンを行う場合のような原稿の折り返し時間が不要になるため、プレビュー表示に要する時間を短くすることができるとともに、プレビュー画像に対して設定に移れる時間も速くすることができるので、生産性の向上が期待できる。
【図面の簡単な説明】
【００８７】
【図１】本発明の実施の一形態にかかる複合機の機能ブロック図である。
【図２】スキャナの内部構造を概略的に示す縦断側面図である。
【図３】仕上がり情報（プレビュー画像）の一例を示す正面図である。
【図４】設定処理項目が選択された状態の一例を示す模式図である。
【図５】処理項目と設定可能位置との対応定義テーブルを示す模式図である。
【図６】パンチ孔処理が施された仕上がり情報（プレビュー画像）の一例を示す正面図である。
【図７】プレビュー表示処理の流れを示すフローチャートである。
【図８】合成処理を概略的に示す模式図である。
【符号の説明】
【００８８】
１０      画像形成装置
１５ａ    操作部
１５ｂ    表示部
【図１】
2008153890.tif 000003
【図２】
2008153890.tif 000004
【図３】
2008153890.tif 000005
【図４】
2008153890.tif 000006
【図５】
2008153890.tif 000007
【図６】
2008153890.tif 000008
【図７】
2008153890.tif 000009
【図８】
2008153890.tif 000010